(57)【要約】      （修正有）【課題】簡単的かつ合理的に構成され、安全的に使われる自動的に上下に首振りをすることができる上下自動首振り電気扇風機を提供する。【解決手段】支柱の上端には横ブッシュが設けられ、扇風機本体が横ブッシュに回転可能に接続され、扇風機本体が横ブッシュの中心軸線まわりに上下に揺動することができ、扇風機本体は、一側に主軸モータ６が固定された固定盤５を備え、主軸モータの回転軸６ａは、固定盤の他側に延設されるとともに、羽根７が嵌め接続されており、固定盤の一側には、更に、首振りホルダー８が固定され、首振りホルダーには、横ブッシュと接続された首振りギアアセンブリが取り付けされており、首振りギアアセンブリは、アクティブギアと、アイドルギアと、固定ギアとを備え、固定ギアからスペーシングスリーブが延設され、それに対応して首振りホルダーには、スペーシングスリーブとリミットマッチングをなす上リミット孤面及び下リミット孤面が設置されている。【選択図】図２
0003203311.tif 000002
【実用新案登録請求の範囲】
【請求項１】
基台（１）と、支柱（２）と、扇風機本体（３）とを備えており、前記基台（１）に支柱（２）が設けられ、支柱（２）の上端に横ブッシュ（４）が設けられ、扇風機本体（３）が横ブッシュ（４）に回転可能に接続され、扇風機本体（３）が横ブッシュ（４）の中心軸線まわりに上下に揺動するように構成される上下自動首振り電気扇風機であって、
前記扇風機本体（３）は固定盤（５）を備え、固定盤（５）の一側に主軸モータ（６）が固定され、主軸モータ（６）の回転軸（６ａ）が固定盤（５）の他側まで延設するとともに、羽根（７）に嵌め接続されており、固定盤（５）の一側には、更に、首振りホルダー（８）が固定されており、首振りホルダー（８）には、横ブッシュ（４）に接続される首振りギアアセンブリ（９）が取り付けられており、
前記首振りギアアセンブリ（９）は、アクティブギア（９０１）と、アイドルギア（９０２）と、固定ギア（９０３）とを含み、首振りホルダー（８）に揺動モータ（１０）が固定され、アクティブギア（９０１）が揺動モータ（１０）の出力軸（１０ａ）に嵌め接続され、固定ギア（９０３）が横ブッシュ（４）の一端に固定され、アイドルギア（９０２）がそれぞれアクティブギア（９０１）と固定ギア（９０３）とに噛み合い、固定ギア（９０３）上においてスペーシングスリーブ（９０３ａ）が延設し、それに対応して首振りホルダー（８）には、スペーシングスリーブ（９０３ａ）とリミットマッチングをなす上リミット孤面（８ａ）及び下リミット孤面（８ｂ）が設けられていることを特徴とする上下自動首振り電気扇風機。
【請求項２】
固定ギア（９０３）の一側には、挿接スリーブ（９０３ｂ）が延設されており、挿接スリーブ（９０３ｂ）に位置決め係止口（９０３ｃ）が設けられ、それに対応して横ブッシュ（４）の一端には、挿接スリーブ（９０３ｂ）と挿接マッチングをなす挿接穴（４ｂ）が設けられ、挿接穴（４ｂ）には、位置決め係止口（９０３ｃ）と軸方向に位置決めマッチングをなす位置決め係止ブロック（４ａ）が設けられていることを特徴とする請求項１に記載の上下自動首振り電気扇風機。
【請求項３】
首振りホルダー（８）は、固定プレート（８０１）と、固定プレート（８０１）の両側に設けられた二つのウィングプレート（８０２）とを備えて構成されており、上リミット孤面（８ａ）及び下リミット孤面（８ｂ）が、それぞれ一方のウィングプレート（８０２）における縦厚さ端面の上下端に設置され、当該ウィングプレート（８０２）にリミットセンシング回路プレート（１２）が固定され、リミットセンシング回路プレート（１２）には、上リミットセンシングスイッチ（１２ａ）及び下リミットセンシングスイッチ（１２ｂ）が設けられており、スペーシングスリーブ（９０３ａ）内には、それぞれ上リミットセンシングスイッチ(１２ａ)及び下リミットセンシングスイッチ（１２ｂ）と電子センシングを行うセンシング部材（１１）が取り付けられていることを特徴とする請求項１に記載の上下自動首振り電気扇風機。
【請求項４】
上リミットセンシングスイッチ（１２ａ）は、上リミット孤面（８ａ）の円点に対応して設置され、下リミットセンシングスイッチ（１２ｂ）は、下リミット孤面（８ｂ）の円点に対応して設置されていることを特徴とする請求項３に記載の上下自動首振り電気扇風機。
【請求項５】
前記扇風機本体（３）は、更に、前面カバー（３０１）と背面カバー（３０２）とを備え、背面カバー（３０２）が固定盤（５）に接続され、前面カバー（３０１）が背面カバー（３０２）に接続されていることを特徴とする請求項１に記載の上下自動首振り電気扇風機。
【請求項６】
前記固定盤（５）の両側には固定盤取付部（５ａ）が延設され、それに対応して、背面カバー（３０２）には、固定取付部（５ａ）に接続される背面カバー取付部（３０２ａ）が設けられていることを特徴とする請求項５に記載の上下自動首振り電気扇風機。
【請求項７】
前記背面カバー（３０２）には、横ブッシュ（４）とマッチングする凹腔（３０２ｂ）が設けられていることを特徴とする請求項５又は６に記載の上下自動首振り電気扇風機。
【考案の詳細な説明】
【技術分野】
【０００１】
本考案は、電気扇風機に関し、特に、自動的に上下に首振りをすることができる上下自動首振り電気扇風機に関する。
【背景技術】
【０００２】
従来の電気扇風機は、左右に揺動するだけで送風動作をし、送風角度も狭く、発生する空気の流れが使用者のある部位だけに作用し、送風面積に制限があるので、ユーザのニーズを満足することができない。
【考案の概要】
【考案が解決しようとする課題】
【０００３】
本考案は、前記先行技術における欠点を解消し、簡単的かつ合理的に構成され、安全的に使われる自動的に上下に首振りをすることができる上下自動首振り電気扇風機を提供することを目的とする。
【課題を解決するための手段】
【０００４】
本考案は、その課題を解決するために以下のものを採用する。
【０００５】
本考案は、基台と、支柱と、扇風機本体とを備え、前記基台に支柱が設けられ、支柱の上端には横ブッシュが設けられ、扇風機本体が横ブッシュに回転可能に接続され、扇風機本体が横ブッシュの中心軸線まわりに上下に揺動するように構成される上下自動首振り電気扇風機であって、前記扇風機本体は固定盤を備え、固定盤の一側に主軸モータが固定された、主軸モータの回転軸は固定盤の他側まで延設されるとともに羽根が嵌め接続され、固定盤の一側には、更に、首振りホルダーが固定されており、首振りホルダーには、横ブッシュと接続される首振りギアアセンブリが取り付けられていることを特徴とする上下自動首振り電気扇風機。
【０００６】
前記首振りギアアセンブリは、アクティブギアと、アイドルギアと、固定ギアとを備え、首振りホルダーに揺動モータが固定され、アクティブギアは揺動モータの出力?に嵌め接続され、固定ギアが横ブッシュの一端に固定され、アイドルギアは、それぞれアクティブギアと固定ギアとに噛み合い、固定ギアにスペーシングスリーブが延設され、それに対応して首振りホルダーには、スペーシングスリーブとリミットマッチングをなす上リミット孤面及び下リミット孤面が設けられている。この構成は、簡単でコンパクトで、且つ低コストであり、電気扇風機の上下、左右の方向の送風を達成することができるため、送風の範囲がより広くなる。
【０００７】
このように構成された電気扇風機においては、固定ギアの一側から挿接スリーブが延設されており、挿接スリーブに位置決め係止口が設けられ、それに対応して横ブッシュの一端には、挿接スリーブと挿接マッチングをなす挿接穴が設けられ、挿接穴には、位置決め係止口と、軸方向に位置決めマッチングをなす位置決め係止ブロックが設けられており、簡単的に構成され、取り付けが便利であり、占めるスペースも少なく、位置決めギアを強固に且つコンパクトに固定することができる。
【０００８】
このように構成された首振りギアアセンブリにおいては、固定ギアは、軸方向に回転することなく固定されており、揺動モータの出力?によって出力される動力は、アクティブギアを介してアイドルギアに伝達され、更に、アイドルギアによって固定ギアの中心軸線まわりを上下に円周で往復回転することで、扇風機本体全体の上下首振り揺動を実現することができ、当該ギアの組み合わせはスリップする可能性が少なく、安定的に運転することができる。
【０００９】
このように構成された電気扇風機においては、首振りホルダーは、固定プレートと、固定プレートの両側に設けられた二つのウィングプレートとを備えて構成され、上リミット孤面及び下リミット孤面が、それぞれ１つのウィングプレートにおける縦厚さ端面の上下端に設置され、当該ウィングプレートにリミットセンシング回路プレートが固定され、リミットセンシング回路プレートに上リミットセンシングスイッチ及び下リミットセンシングスイッチが設けられており、スペーシングスリーブには、上リミットセンシングスイッチ及び下リミットセンシングスイッチとそれぞれ電子センシングされたセンシング部材が取り付けられており、揺動範囲の上下制限値を精確に位置決めすることができ（揺動モータの正逆転と上リミットセンシングスイッチ及び下リミットセンシングスイッチとのマッチングによって、扇風機本体の上下首振り揺動を実現する）、機械的慣性による誤差を減少し、上下首振りが増大された機械的構成を実現することができる。
【００１０】
このように構成された電気扇風機においては、上リミットセンシングスイッチは、上リミット孤面の円点には対応して設置されており、下リミットセンシングスイッチは、下リミット孤面の円点には対応して設置されており、リミット構成は、?子リミット（上、下リミットセンシングスイッチ）構成もあるし、機械リミット（上、下リミット孤面）構成もあるので、より安全で信頼性の高い構成となり、?子リミットが効かなくなった場合でも、机械リミットによって、扇風機本体の同一の方向に向かって継続して揺動過ぎを防止する役割を果たすことができ、当該センシング方式の構成は簡単である。
【００１１】
このように構成された電気扇風機においては、扇風機本体は、更に、前面カバーと、背面カバーとを備え、背面カバーが固定盤に取り付けられ、前面カバーが背面カバーに取り付けられ、簡単で且つコンパクトに構成されており、取り外してクリーニングするのにも便利である。
【００１２】
このように構成された電気扇風機においては、前記固定盤の両側から固定盤取付部が延設されており、それに対応して背面カバーには、固定取付部に取り付けされた背面カバー取付部が設けられており、取り付けがコンパクトで、塵埃の進入を減少し、集塵になって機体を塞ぐことを防止できる。
【００１３】
このように構成された電気扇風機においては、前記背面カバーには、横ブッシュとマッチングする凹腔が設けられている。
【考案の効果】
【００１４】
以下、本考案の有利な効果を説明する。
【００１５】
本考案は、上下に首振りをすることが可能な電気扇風機であり、この構成は、簡単でコンパクトで、且つ低コストであり、電気扇風機の上下、左右の方向の送風を実現し、送風の範囲をより広くさせることができる。扇風機本体は、電子センシングされるセンシング部材によって構成され、揺動範囲の上下制限値を精確に位置決めすることができ、機械的慣性による誤差を減少し、上下首振りが増大された機械的構成を実現することができる。背面カバーと背面カバー取付部とが一体に設計され、固定盤取付部に取り付けられ、簡単てき且つコンパクトに構成され、塵埃の進入を減少し、集塵になって機体を塞ぐことを防止できる。
【図面の簡単な説明】
【００１６】
【図１】図１は、本考案に係る扇風機本体の構成図である。
【図２】図２は、本考案に係る扇風機本体の断面構成図である。
【図３】図３は、本考案に係る電気扇風機の首振りギアアセンブリの構成図である。
【図４】図４は、本考案に係る横ブッシュ及び固定ギアのマッチングの構成図である。
【図５】図５は、本考案に係る固定プレート及びセンシング回路プレートの構成図である。
【図６】図６は、本考案に係る電気扇風機前面カバー及び背面カバーのマッチング図である。
【図７】図７は、本考案に係る横ブッシュとマッチングする凹腔の位置図である。
【考案を実施するための形態】
【００１７】
以下、図面及び実施の形態に基づいて、本考案をさらに説明する。図１から図７に示されるように、基台１と、支柱２と、扇風機本体３とを備え、前記基台１に支柱２が設けられ、支柱１の上端には横ブッシュ４が設けられ、扇風機本体３が横ブッシュ４に回転可能に接続され、扇風機本体３が横ブッシュ４の中心軸線まわりに上下に揺動するように構成される上下自動首振り電気扇風機であって、前記扇風機本体３は、一側に主軸モータ６が固定される固定盤５を備え、主軸モータ６の回転軸６ａは固定盤５の他側まで延設されるとともに、羽根７が嵌め接続されており、固定盤５の一側には、更に、首振りホルダー８が固定されており、首振りホルダー８には、横ブッシュ４と接続される首振りギアアセンブリ９が取り付けられていることを特徴とする上下自動首振り電気扇風機である。
【００１８】
前記首振りギアアセンブリ９は、アクティブギア９０１と、アイドルギア９０２と、固定ギア９０３とを備え、首振りホルダー８に揺動モータ１０が固定され、アクティブギア９０１が揺動モータ１０の出力軸１０ａに嵌め接続されており、固定ギア９０３が横ブッシュ４の一端に固定され、アイドルギア９０２はそれぞれアクティブギア９０１及び固定ギア９０３と噛み合い、固定ギア９０３からスペーシングスリーブ９０３ａが延設されており、それに対応して首振りホルダー８にはスペーシングスリーブ９０３ａとリミットマッチングをなす上リミット孤面８ａ及び下リミット孤面８ｂが設けられており、この構成は、簡単でコンパクトで、且つ低コストであり、電気扇風機の上下、左右の方向の送風を実現し、送風の範囲をより広げることができる。
【００１９】
前記の固定ギア９０３一側から挿接スリーブ９０３ｂが延設され、挿接スリーブ９０３ｂに位置決め係止口９０３ｃが設けられ、それに対応して横ブッシュ４一端には、挿接スリーブ９０３ｂと挿接マッチングをなす挿接穴４ｂが設けられており、挿接穴４ｂには、位置決め係止口９０３ｃと軸方向に位置決めマッチングをなす位置決め係止ブロック４ａが設けられ、簡単的に構成され、取り付けが便利であり、占めるスペースも少なく、位置決めギアを強固に且つコンパクトに固定することができる。
【００２０】
このように構成された首振りギアアセンブリ９においては、固定ギア９０３は、軸方向に回転することなく固定されており、揺動モータ１０の出力?１０ａによって出力される動力は、アクティブギア９０１を介してアイドルギア９０２に伝達され、更に、アイドルギア９０２によって固定ギア９０３の中心軸線まわりを上下に円周で往復回転することで、扇風機本体３全体の上下首振りを実現し、当該ギアの組み合わせはスリップする可能性が少なく、安定的に運転することができる。
【００２１】
前記首振りホルダー８は、固定プレート８０１と固定プレート８０１の両側に設けられた二つのウィングプレート８０２とを備えて構成され、上リミット孤面８ａ及び下リミット孤面８ｂが、それぞれ１つのウィングプレート８０２における縦厚さ端面の上下端に設置され、当該ウィングプレート８０２には、リミットセンシング回路プレート１２が固定され、リミットセンシング回路プレート１２には、上リミットセンシングスイッチ１２ａ及び下リミットセンシングスイッチ１２ｂが設けられており、スペーシングスリーブ９０３ａには、上リミットセンシングスイッチ１２ａ及び下リミットセンシングスイッチ１２ｂとそれぞれ電子センシングされたセンシング部材が取り付けられており、揺動範囲の上下制限値を正確に位置決めすることができ（揺動モータ１０の正逆転と上リミットセンシングスイッチ１２ａ及び下リミットセンシングスイッチ１２ｂとのマッチングによって、扇風機本体３の上下首振りを実現する）、機械的慣性による誤差を減少し、上下首振りが増大された機械的構成を実現することができる。
【００２２】
上リミットセンシングスイッチ１２ａは、上リミット孤面８ａの円点に対応して設置されており、下リミットセンシングスイッチ１２ｂは、下リミット孤面８ｂの円点に対応して設置されており、リミット構成は、電子リミット（上リミットセンシングスイッチ１２ａ、下リミットセンシングスイッチ１２ｂ）構成もあるし、機械リミット（上リミット孤面８ａ、下リミット孤面８ｂ）構成もあるので、より安全的、信頼性の高い構成となり、電子リミットが効かなくなった場合でも、機械リミットによって、扇風機本体３の同一の方向に向かって継続して揺動過ぎを防止する役割を果たすことができ、当該センシング方式の構成は簡単である。
【００２３】
前記扇風機本体３は、更に、前面カバー３０１と背面カバー３０２とを備え、背面カバー３０２が固定盤５に取り付けられ、前面カバー３０１が背面カバー３０２に取り付けられ、簡単で且つコンパクトに構成されており、取り外してクリーニングするのにも便利である。
【００２４】
前記固定盤５の両側から、固定盤取付部５ａが延設されており、それに対応して背面カバー３０２には、固定取付部５ａに取り付けされた背面カバー取付部３０２ａが設けられており、取り付けがコンパクトで、塵埃の進入を減少し、集塵になって機体を塞ぐことを防止できる。
【００２５】
前記背面カバー３０２には、横ブッシュ４とマッチングする凹腔３０２ｂが設けられている。
【００２６】
以上に述べた具体的な実施例は、あくまでも本考案の最適な実施例にすぎない。本考案の請求範囲と均等するものは、すべて本考案に含まれる。
【図１】
0003203311.tif 000003
【図２】
0003203311.tif 000004
【図３】
0003203311.tif 000005
【図４】
0003203311.tif 000006
【図５】
0003203311.tif 000007
【図６】
0003203311.tif 000008
【図７】
0003203311.tif 000009